(57)【特許請求の範囲】
【請求項１】
装置の土台となるベース盤と、
内部に密封された一部分が有する物質相が全体の物質相とは異なる展示物を上面に載置して、前記ベース盤の前記上面の上方で、当該上面に沿って略平行配置された揺動板と、
前記揺動板の一端縁から所定距離だけ後退した前記ベース盤と対面する下面と当該ベース盤の前記上面の間に介在し、当該揺動板の前記一端縁と他端縁をシーソー動的に支持する支承板と、
前記揺動板の前記一端縁と前記支承板の間の前記ベース盤の前記上面に設置して、当該一端縁を間歇的に上方に突き上げる突き上げ機構と、
前記揺動板の前記一端縁とは反対側の他端縁で前記ベース盤と対面する下面と当該ベース盤の前記上面の間に介在して、当該揺動板からの荷重を受けて当該揺動板を当該ベース盤と平行に弾性的に支持するためのスプリングと、
前記揺動板の前記他端縁と前記ベース盤の間を橋絡して前記スプリングによる当該揺動板の跳ね上りを抑制する跳ね上り抑制部材と、
を具備し、
前記突き上げ機構による前記揺動板の前記一端縁の突き上げによる前記スプリングへの間歇的な圧縮力及び当該圧縮力に対する反発力と、前記跳ね上り抑制部材による跳ね上り抑制力とで当該揺動板に不規則揺動を惹起させることを特徴とする揺動展示装置。
【請求項２】
請求項１において、
前記支承板は下辺と上辺とが平行で撓み可能な板状部材であり、前記下辺は前記ベース盤の前記上面に、前記上辺は前記揺動板の前記下面とに固定されていることを特徴とする揺動展示装置。
【請求項３】
請求項１又は２において、
前記突き上げ機構は、減速モーターの回転軸に回転方向半径又は頂部の配置角度が等しいか、あるいは異なる複数の突起を有するカム状回転部材を備え、前記カム状回転部材が前記減速モーターの回転によって前記揺動板の下面を間歇的に突き上げることを特徴とする揺動展示装置。
【請求項４】
請求項１乃至３の何れかにおいて、
前記揺動板は長辺と短辺を持つ矩形板であり、前記揺動板の前記一端縁は一方の短辺であり、前記他端縁は他方の短辺であることを特徴とする揺動展示装置。
【請求項５】
請求項４において、
前記支承板は前記一方の短辺に平行に設置されていることを特徴とする揺動展示装置。
【請求項６】
請求項４において、
前記支承板は前記一方の短辺に対して所定の角度で設置されていることを特徴とする揺動展示装置。
【請求項７】
請求項４において、
前記スプリングは２個配列されており、当該２個のスプリングの作用点を通る直線が前記他方の短辺に対して所定の角度で設置されていることを特徴とする揺動展示装置。
【請求項８】
請求項４において、
前記突き上げ機構は、前記揺動板の前記一端縁の下面中央部分を突き上げる位置に配置されていることを特徴とする揺動展示装置。
【請求項９】
請求項４において、
前記突き上げ機構は、前記揺動板の前記一端縁の下面で前記支承板と当該揺動板の前記一端縁との距離が大である部分を突き上げる位置に配置されていることを特徴とする揺動展示装置。
【請求項１０】
請求項３において、
前記突き上げ機構は、長さが異なる複数の突起を回転方向に有するカム状回転部材を備えることを特徴とする揺動展示装置。
【請求項１１】
請求項１０において、
前記突き上げ機構に有する前記カム状回転部材は、前記揺動板の下面を突き上げる頂部の配置角度が異なる複数の突起を有するカム状回転部材を備えることを特徴とする揺動展示装置。
【請求項１２】
請求項３において、
前記揺動板の下面の前記カム状回転部材が当接する部分に前記カム状回転部材を滑動させる摺り板を設けたことを特徴とする揺動展示装置。
【請求項１３】
請求項２において、
前記支承板と前記ベース盤、前記支承板と前記揺動板の一方又は双方は、取り外し可能な手段で固定されていることを特徴とする揺動展示装置。
【請求項１４】
請求項１乃至１３の何れかにおいて、
前記揺動板の前記支承板設置位置と前記スプリング設置位置の間の上面に載置台を介して、全体の物質相が固相である水晶玉の内部の一部に物質相が液相である水塊を封じ込んだ空間を内蔵した前記展示物を載置してなることを特徴とする揺動展示装置。
【請求項１５】
請求項１乃至１４の何れかにおいて、
前記跳ね上り抑制部材は、金属、樹脂、布などのテープ状、布状、織布状を含む柔軟かつ引っ張りに強い材料からなることを特徴とする揺動展示装置。
【請求項１６】
請求項１４において、
前記載置台の内部に照明ランプが設置されており、前記水晶玉を載置する上面に開口を有し、前記照明ランプの光を前記開口を通して前記水晶玉の下方から照明することで当該水晶玉の内部構造を視覚的に強調表示することを特徴とする揺動展示装置。
【請求項１７】
請求項１において、
前記スプリングは、前記揺動板の水平姿勢を調整する圧縮量／弾圧力調整手段を備えたことを特徴とする揺動展示装置。
【請求項１８】
請求項１７において、
前記スプリングはコイルバネであり、前記圧縮量／弾圧力調整手段は当該コイルバネの長手方向内側を通って前記ベース盤に下端が固定されて上端が前記揺動板を貫通して上面に突き出されたボルトと、当該ボルトの前記揺動板の上面に突き出されたボルト部分に螺合されたナットであることを特徴とする揺動展示装置。
【発明の詳細な説明】
【技術分野】
【０００１】
本発明は、展示装置に係り、特に静止状態では見学者に対する十分な展示効果を発揮することができない類いの展示物に特殊な動きを与えることで注目と興味を惹起させる揺動展示装置に関する。
【背景技術】
【０００２】
商品などのサンプル展示、あるいは販売促進のための広告などの展示物は、単に静止状態での露出、あるいは音声の追加では顧客の関心を引くことが困難な場合は、展示物に動きを加えることで、顧客、観察者、あるいは見学者に対してより効果的な展示効果を奏し得る動態展示は既知である。この種の動態展示装置に関する従来技術を開示したものとして、例えば特許文献１、特許文献２を挙げることができる。
【０００３】
展示物に動きを与えて当該展示物の性能を認識させる動態展示の一例として、特許文献１は展示場に設置した住宅に用いる外壁パネルに往復振動を与え、耐震性能を視覚的に展示する構造を開示する。上記の往復振動は電動モーターの回転を水平運動に変換する機構、具体的にはリンク（スライダリンク機構）を採用している。
【０００４】
また、動態展示の他例としての特許文献２の発明は疑似魚信振動システムに係り、任意の疑似魚信に相当する振動を発生し、この振動を竿先から釣竿に伝搬させ、竿先に生じる曲り具合と振れにより釣竿の感度を振動と視覚で顧客の体感させるようにしたものである。そのための振動発生は、永久磁石とソレノイドコイルによるスライド磁気駆動、あるいはモーターとカム構造を用いている。
【０００５】
上記したように、動態展示は展示物に動きを与えることで顧客、観察者、あるいは見学者に好奇心を掻き立て、高い興味を持たせる効果を発揮する。動態展示のための振動の発生手段には上記したモーターとスライダリンクあるいはカム機構を組み合わせたもの、ソレノイドコイルなどの電磁機構が用いられている。
【先行技術文献】
【特許文献】
【０００６】
【特許文献１】特開２００８−１０７６３０号公報
【特許文献２】特開２０１３−１９２５４２号公報
【発明の開示】
【発明が解決しようとする課題】
【０００７】
動態展示は、展示しようとする具体的な展示物の特徴を際立たせることで、顧客、観察者、あるいは見学者（以下、見学者等とも称する）の注意を集中させて興味を掻き立てるような動きを与えることが肝要である。すなわち、展示物に対して単に注目を期待するのみに限らず、展示物を構成する部分をより際立たせて、その部分に見学者等の意識の焦点が集まるようにすることが必要となる。
【０００８】
静止展示では存在の確認が困難な物体あるいは事象を、当該物体あるいは事象に対してその周囲とは異なった特異な動きを与えることでその存在を顕在化することも必要となる。上記した従来の動態展示装置では、顧客、観察者、あるいは見学者に対して展示物全体を決まった繰り返しパターンで振動あるいは揺動させて展示物全体に注目するようにして興味を集めるようにしているものが殆どである。しかしながら、顧客、観察者、あるいは見学者に対して動いている展示物のさらにその特定の部分（展示提供者が顧客、観察者、あるいは見学者に対して特別に観察して欲しい部分）に注目させるためには上記の動態展示機構では十分とは言えない。特に、その特定部分が静止状態では周囲との違いを認識することが難しい展示物であるものでは、音声での説明などの視覚以外の手段を併用する必要がある。
【０００９】
本発明の目的は、動態展示機構を備え、当該展示物を全体として揺動させると共に、注目させたい一部分に特異な動きを生じさせることで当該一部分を視覚的に顕在化させる揺動展示装置を提供することにある。
【課題を解決するための手段】
【００１０】
上記目的を達成するため、本発明は、展示物を全体として揺動させる揺動装置に不規則揺動成分生成機構を加えることで、展示物の一部が有する物質相（物質の状態：固体、液体、気体など）が当該展示物全体の物質相とは異なることに起因する特異な動きを惹起させて当該一部分を視覚的に顕在化させるようにした。本発明の特徴的な構成を記述すれば次のとおりである。なお、構成の理解を明確にするため、構成それぞれに対応する実施例における参照符号を付した。しかし、本発明は、これら符号で示される構成に限定されるものではないことは言うまでもない。
【００１１】
本発明に係る揺動展示装置は、
（１）装置の土台となるベース盤１と、
内部に密封された一部分が有する物質相が全体の物質相とは異なる展示物を上面に載置して、前記ベース盤の前記上面の上方で、当該上面に沿って略平行配置された揺動板２と、
前記揺動板の一端縁から所定距離だけ後退した前記ベース盤と対面する下面と当該ベース盤の前記上面の間に介在し、当該揺動板の前記一端縁と他端縁をシーソー動的に支持する支承板３と、
前記揺動板の前記一端縁と前記支承板の間の前記ベース盤の前記上面に設置して、当該一端縁を間歇的に上方に突き上げる突き上げ機構４と、
前記揺動板の前記一端縁とは反対側の他端縁で前記ベース盤と対面する下面と当該ベース盤の前記上面の間に介在して、当該揺動板からの荷重を受けて当該揺動板を当該ベース盤と平行に弾性的に支持するためのスプリング５と、
前記揺動板の前記他端縁と前記ベース盤の間を橋絡して前記スプリングによる当該揺動板の跳ね上りを抑制する跳ね上り抑制部材６と、
を具備し、
前記突き上げ機構による前記揺動板の前記一端縁の突き上げによる前記スプリングへの間歇的な圧縮力及び当該圧縮力に対する反発力と、前記跳ね上り抑制部材による跳ね上り抑制力とで当該揺動板に不規則揺動を惹起させることを特徴とする。
【００１２】
（２）前記（１）における前記支承板３は下辺と上辺とが平行で撓み可能な板状部材であり、前記下辺は前記ベース盤１の前記上面に、前記上辺は前記揺動板の前記下面とに固定されていることを特徴とする。
【００１３】
（３）前記（１）又は（２）における前記突き上げ機構４は、減速モーター４ａの回転軸に回転方向半径又は頂部の配置角度が等しいか、あるいは異なる複数の突起を有するカム状回転部材４ｂを備え、前記カム状回転部材４ｂが前記減速モーター４ａの回転によって前記揺動板２の下面を間歇的に突き上げることを特徴とする。
【００１４】
（４）前記（１）乃至（３）の何れかにおける前記揺動板２は長辺と短辺を持つ矩形板であり、前記揺動板２の前記一端縁は一方の短辺であり、前記他端縁は他方の短辺であることを特徴とする。
【００１５】
（５）前記（４）における前記支承板３は前記一方の短辺に平行に設置されていることを特徴とする。
（６）前記（４）における前記支承板３は前記一方の短辺に対して所定の角度で設置されていることを特徴とする。
【００１６】
（７）前記（４）における前記スプリング５は２個配列されており、当該２個のスプリングの作用点を通る直線が前記支承板の短辺と平行に設置されていることを特徴とする。
【００１７】
（８）前記（４）における前記突き上げ機構４は、前記揺動板２の前記一端縁の下面中央部分を突き上げる位置に配置されていることを特徴とする。
【００１８】
（９）前記（４）における前記突き上げ機構４は、前記揺動板２の前記一端縁の下面で前記支承板３と当該揺動板２の前記一端縁との距離が大である部分を突き上げる位置に配置されていることを特徴とする。
【００１９】
（１０）前記（３）における前記突き上げ機構４は、アームの長さが異なる複数の突起を有するカム状回転部材４ｂを備えることを特徴とする。
【００２０】
（１１）前記１０における前記突き上げ機構４に有する前記カム状回転部材４ｂは、前記揺動板２の下面を突き上げる頂部の配置角度が異なる複数の突起を有することを特徴とする。
【００２１】
（１２）前記（３）における前記揺動板２の下面の前記カム状回転部材４ｂが当接する部分に前記カム状回転部材４ｂを滑動させる摺り板１２を設けたことを特徴とする。
【００２２】
（１３）前記（２）における前記支承板３と前記ベース盤１、前記支承板３と前記揺動板２の一方又は双方は、取り外し可能な手段で固定されていることを特徴とする。
【００２３】
（１４）前記（１）乃至（１３）における前記揺動板２の前記支承板３設置位置と前記スプリング５設置位置の間の上面に載置台８を介して、全体の物質相が固相である水晶玉の内部の一部に物質相が液相である水塊９ａを封じ込んだ空間９ｂを内蔵した前記展示物を載置してなることを特徴とする。
【００２４】
（１５））前記（１）乃至（１４）の何れかにおける前記跳ね上り抑制部材６は、金属、樹脂、布などのテープ状、布状、織布状を含む柔軟かつ引っ張りに強い材料からなることを特徴とする。ある程度の弾力を持っていた方が、シーソー動に微妙な振動を付加して複雑な揺動を発生できる。
【００２５】
（１６）前記（１４）における前記載置台８の内部に照明ランプ１０が設置されており、前記水晶玉９を載置する上面に開口１３を有し、前記照明ランプ１０の光を前記開口を通して前記水晶玉９の下方から照明することで当該水晶玉の内部構造を視覚的に強調表示することを特徴とする。
【００２６】
（１７）前記（１）における前記スプリング５は、前記揺動板２の水平姿勢を調整する圧縮量／弾圧力調整手段１４を備えたことを特徴とする。
【００２７】
（１８）前記（１７）における前記スプリング５はコイルバネであり、前記圧縮量／弾圧力調整手段１４は当該コイルバネの長手方向内側を通って前記ベース盤に下端が固定されて上端が前記揺動板を貫通して上面に突き出されたボルトと、当該ボルトの前記揺動板２の上面に突き出されたボルト部分に螺合されたナットであることを特徴とする。
【００２８】
なお、本発明は、上記した構成および後述する実施例に記載された構成、並びに特許請求の範囲に記載された発明の構成に限定されるものではなく、本発明の技術思想の範囲内であれば、本発明に含まれる。
【発明の効果】
【００２９】
展示物に動きを与えて顧客、観察者、あるいは見学者の注目を集め、興味を抱かせる動態展示は既知であるが、一般には展示物を全体として揺動させるものが殆どである。本発明では、動態展示のための揺動装置に不規則揺動成分生成機構を組み込むことで、展示物の一部が有する物質相が当該展示物全体の物質相とは異なることに起因する特異な動きを惹起させて当該一部分を視覚的に顕在化させる。
【００３０】
特別に注目してもらいたい特定部分がその他の部分とは物質相（固相、液相、気相）が異なることを利用し、当該展示物全体としての物質相とは異なることに起因する特異な動きを惹起させる。本発明の１実施例では、全体が固体（固相）の水晶玉（水晶の塊）の内部にある空間に気体（気相）と共に閉じ込められている有史以前の水（液相）の存在を明確に観察させるために、全体展示物である水晶玉全体の揺動に不規則な揺動成分を加えることで上記空間に閉じ込められている水に波立ちなどの不定形で不規則な動き惹起させる。なお、水の不定形で不規則な動きによって当該空間に閉じ込められている有史以前の空気の存在も観察者等に確認させることができる。
【００３１】
本発明により、静止状態あるいは規則的な動きでは明確な視認が難しい展示対象物の存在とその閉じ込められた状態を顕在化し、観察者等の興味を引きつけることができる。
【図面の簡単な説明】
【００３２】
【図１】本発明に係る揺動展示装置の実施例１の構成を説明する模式図である。
【図２】本発明に係る揺動展示装置の実施例１の構成を説明する俯瞰図である。
【図３】本発明に係る揺動展示装置の実施例１の構成を説明図する揺動板側から見たベース盤の平面図である。
【図４】本発明に係る揺動展示装置の実施例１の構成を説明する一部断面して示す立面図である。
【図５】本発明に係る揺動展示装置の実施例１の基本動作を説明する模式図である。
【図６】本発明に係る揺動展示装置の実施例１の不規則揺動発生動作の説明図である。
【図７】本発明に係る揺動展示装置の実施例１の不規則揺動発生機構のためのカム状回転部材と他の構成例を説明する模式図である。
【図８】本発明に係る揺動展示装置の実施例１の全体形状例の説明図である。
【図９】本発明に係る揺動展示装置の実施例１における突き上げ機構の要部一例を説明する模式図である。
【図１０】本発明に係る揺動展示装置の実施例１の支持板の固定構造例を説明する模式断面図である。
【図１１】本発明に係る揺動展示装置の実施例１の支持板の構成例の説明図である。
【図１２】本発明に係る揺動展示装置の実施例２の構成を説明する俯瞰図である。
【図１３】本発明に係る揺動展示装置の実施例２の構成を説明図で、（ａ）は揺動板側から見たベース盤の平面図、（ｂ）は（ａ）の矢印Ａ方向から見た側面図である。
【発明を実施するための形態】
【００３３】
以下、本発明に係る揺動展示装置の実施例について、実施例の図面を参照して詳細に説明する。
【実施例１】
【００３４】
図１は、本発明に係る揺動展示装置の実施例１の構成を説明する模式図である。図１に示した装置は本発明の揺動展示装置の要部を抽出したものである。基本的な機枠構成は、装置の土台となるベース盤１の上に支承板３で支持した揺動板２からなる。支承板３は揺動板２の長手方向寸法の一方に偏った位置、例えば約三分の一の位置でシーソー動が可能な状態となるように片持ち支持している。本実施例では、ベース盤１と揺動板３は共に長方形の板材で構成される。ベース盤１と揺動板２及び支承板３は金属板あるいは合成樹脂板あるいは木材板などの撓み可能な剛体で形成される。本実施例ではアルミニウム合金を用いた。
【００３５】
すなわち、揺動展示装置が動作する前では、ベース盤１の上面に沿って上方に揺動板２が略平行に配置される。支承板３は、揺動板２の一端縁（図１の紙面に向かって右側端）から所定距離だけ後退した位置（ここでは、揺動板２の長手方向の右側端側から手前約三分の一内側に後退した位置）で、ベース盤１と対面する下面と当該ベース盤１の前記上面の間に介在して、当該揺動板２の一端縁と他端縁を不平衡なシーソー動的に支持する如く設けられる。ここでの揺動板２のシーソー動は支承板３の撓みによる上記揺動板２の一端縁（支承板３からの距離が短い側）と他端縁（支承板３からの距離が長い側）とが交互に上下可能になっていることを意味する。
【００３６】
ベース盤１の上面と揺動板２の下面の間を橋絡して配置される支承板３の上下端は、当該ベース盤１の上面と揺動板２の下面にロウ付け、ボルト・ナット締め、リベット固定などの既知の固定手段で固定されている。なお、この固定部分の何れか一方を蝶番構造で揺動板２をシーソー動可能に固定することを排除しない。
【００３７】
揺動板２の前記一端縁とは反対側の他端縁で前記ベース盤１と対面する下面と当該ベース盤１の前記上面の間に介在して、展示物を載置した揺動板２からの荷重を受けて当該揺動板２を当該ベース盤１と略平行に弾性的に支持するためのスプリング５が設けられている。
【００３８】
また、揺動板２の前記一端縁と支承板３の間のベース盤１の上面に、揺動板２の上記一端縁側の下面を間歇的に上方に突き上げる突き上げ機構４が設置されている。本実施例における突き上げ機構４は減速モーター（ギヤモーター）４ａの回転軸に取り付けたカム状回転部材４ｂで構成される。カム状回転部材４ｂは減速モーター（ギヤモーター）４ａの回転で間歇的に揺動板２の下面に接触して押し上げる。揺動板２の下面のカム状回転部材４ｂが突き当たる部分に摺動板１２を貼付しておくのが望ましい。カム状回転部材４ｂは、この摺動板１２を摺動しながら半ば突発的に揺動板２を突き上げ、モーターの回転で略瞬時に揺動板２から離脱する。
【００３９】
この突き上げ機構４の上記カム状回転部材４ｂで上記一端縁側が突き上げられると、展示物を載置した揺動板２の前記他端側はベース盤１に近づく方向に下垂する。下垂した当該他端側は上記スプリング５を圧縮する。圧縮力を受けたスプリング５はその弾性力で反発し、揺動板２を跳ね上げる。このときには、カム状回転部材４ｂは揺動板２の下面との接触から開放されている。
【００４０】
揺動板２の上記他端縁と上記ベース盤１の間を橋絡して前記スプリング５による揺動板２の過度の跳ね上りを抑制する跳ね上り抑制部材６が設けられている。この跳ね上り抑制部材６もスプリング５の反発、カム状回転部材４ｂの突き上げと共に、揺動板２の跳ね上りを不定期に中断することで不規則揺動を発生させるように機能する。なお、跳ね上り抑制部材６は、金属、樹脂、布などのテープ状、布状、織布状を含む柔軟かつ引っ張りに強く、多少の弾力を持つ材料で構成できる。本実施例ではステンンレス細線のテープ状織布を用いた。
【００４１】
突き上げ機構４による揺動板２の前記一端縁の突き上げによるスプリング５への間歇的な圧縮力及び当該圧縮力に対する反発力と、跳ね上り抑制部材６による跳ね上り抑制力とで当該揺動板２に不規則揺動を惹起させる。スプリング５は、揺動板２の水平姿勢を調整する圧縮量／弾圧力調整手段１４を備えている。スプリング５としてコイルバネを用い、圧縮量／弾圧力調整手段１４は当該コイルバネの長手方向内側を通ってベース盤１に下端が固定されて、上端が揺動板２を貫通してその上面に突き出されたボルトと、当該ボルトが揺動板２の上面に突き出された部分に羅合されたナットで構成している。
【００４２】
揺動板２の上面で支承板３から端部までの距離が長い領域には、内部に密封された１部分（空間９ｂとこの空間に密封された水塊９ａ）が有する物質相が全体の物質相とは異なる展示物、本実施例では水晶玉９が載置される。上記した揺動板２の不規則な揺動で水晶玉９の内部に封止された１部分（空間９ｂとこの空間に密封された水塊９ａ）は視覚的には液相にある水塊９ａの波立ちが顕在化して当該水塊９ａの存在が明示され、同時に空間９ｂの存在も明らかになり、有史以前の空気の存在も観察者等に強調し、確認させることができる。
【００４３】
図１において、水晶玉９は揺動板２との間に設けた載置台８に載せて展示される。載置台８の形状は図示されたものに限らない。載置台８は適宜の手段で揺動板２に固定され、揺動板２と共に揺動する。また、内部に照明ランプ１０が設置され、上部に設けた開口１３から水晶玉９に対して下方から照明するようにしている。なお、符号１１は照明ランプ１０への給電のためのコードを示す。
【００４４】
図２は、本発明に係る揺動展示装置の実施例１の構成を説明する俯瞰図である。本実施例では、揺動板２は長辺と短辺を持つ矩形板であり、揺動板２の一端縁は一方の短辺（図の紙面に向かって近い側）で、他端縁は他方の短辺（同、紙面に向かって遠い側）である。支承板３は一方の短辺に近い部分に当該短辺と平行に設置されている。
【００４５】
そして、本実施例では、突き上げ機構４のカム状回転部材４ｂは揺動板２に長手方向に平行な中心線Ｃ−Ｃ'上で揺動板２の下面をつき上げるように設置されている。支承板３を支点とした揺動板２は、支承板３と一方の短辺側の突き上げ点Ｐ１との距離をＬ１とし、支承板３と他方の短辺側のスプリング５で支持された部分を結ぶ線が中心線Ｃ？Ｃ'と交叉する点Ｐ２との距離をＬ２としたとき、点Ｐ１の突き上げ量は点Ｐ２ではＬ２／Ｌ１に比例した量に増幅されてスプリング５を圧縮する力となる。Ｌ２＞Ｌ１なので、点Ｐ２には点Ｐ１を突き上げる力より大きな押し下げ量が生じる。
【００４６】
すなわち、図２の点Ｐ１をカム状回転部材４ａが突き上げることで点Ｐ２にはスプリング５（中心線Ｃ−Ｃ'の両側に各一個配置）を押し下げる力がかかる。図２にはこれらの押し下げ量を両矢印の長さの違いで示した。
【００４７】
図３は、本発明に係る揺動展示装置の実施例１の構成を説明する揺動板側から見たベース盤の平面図で、揺動板を破線で仮想的に示す。上記したように、実施例１では、長方形の揺動板２の長手方向の中心線Ｃ？Ｃ'上にカム状回転部材４ｂが配置されている。中心線Ｃ−Ｃ'は支承板３の中央部Ｐ０を通っている。
【００４８】
図４は、本発明に係る揺動展示装置の実施例１の構成を説明する一部断面して示す立面図で、図３の矢印Ａ方向から見た図に相当する。本実施例では、ベース盤１は４本の脚柱２１とで固定枠を構成している。このベース盤１の上方に支承板３に固定され、スプリング５で長手方向他端が支持された揺動板２が設置されている。揺動板２の上記長手方向の上部には載置台８に支えられて展示物である水晶玉９が載置されている。その他の構成は上記したとおりである。
【００４９】
図５は、本発明に係る揺動展示装置の実施例１の基本動作を説明する模式図で、揺動板２を介して水晶玉９に不規則な揺動を与えて、該水晶玉に密封された空間とその内部の水塊に特異な動きを惹起させる効果を説明するものである。図５では、揺動板２の長手方向一端の点Ｐ１をカム状回転部材４ｂが突き上げた状態を示す。
【００５０】
点Ｐ１の突き上げで、揺動板２は点Ｐ０を支点として長手方向他端の点Ｐ２が押し下がってスプリング５をその弾性力に抗して圧縮する方向に付勢する。なお、揺動板２のシーソー動は支承板３の撓み（面の変形）で生じるので、支点Ｐ０は支承板３と揺動板２の固定部分と支承板３の内部との間に存在するように変動する。カム状回転部材４ｂは減速モーター４ａで回転されており、上記の点Ｐ１の突き上げ後には揺動板２の下面から速やかに離間する。そのため、揺動板２の長手方向一端は自由端となる。
【００５１】
これと共に、揺動板２の他端では、スプリング５はその弾性力で復元する力で点Ｐ２を跳ね上げるように当該揺動板２を駆動し、かつ跳ね上りがスプリング５の弾性中点（スプリング５が引っ張り力を受けるようになる圧縮力の限界点を超えて（瞬間的に揺動板２の下面がスプリング５から離れる場合もある）元に戻るように揺動板２駆動する（前記一端と共にシーソー動を繰り返す）。大まかに表現すれば、このシーソー動は載置された展示物とスプリングの弾性力、揺動板の一端と他端の長さで決まる規則的な周期をもつ減衰振動となる。
【００５２】
揺動板２の長手方向他端部分（点Ｐ２がある領域）の跳ね上がりは、ベース盤１と揺動板２の間に掛け渡された跳ね上り抑制部材６で強制的に制限される。したがって、揺動板２のシーソー動は規則的な周期をもつ自由減衰振動が阻害されてしまう。この阻害された自由減衰振動が終焉する以前に、上記カム状回転部材４ｂによる前記一端の突き上げが生じる。カム状回転部材４ｂによる前記一端の突き上げと先の突き上げによるシーソー動とはなんらの同期もされていない。そのため、揺動板２に対しては全体として不規則な揺動が惹起されることになる。これを図６でさらに説明する。
【００５３】
図６は、本発明に係る揺動展示装置の実施例１の不規則揺動発生動作の説明図である。図６の（ａ）はカム状回転部材４ｂの回転経過を示し、同（ｂ）は上記した不規則揺動の波形例を示す。カム状回転部材４ｂの回転は取り敢えず図示の矢印で示した方向とするが、これと逆の回転であってもよい。
【００５４】
カム状回転部材４ｂは図６の（ａ）に示したように回転し、その頂部が先ずＫ１の時点で揺動板２の下面を摺り上げつつ突き上げると共に、カム状回転部材４ｂは即座に当該下面との接触から脱出する。好ましくは、揺動板２の下面でカム状回転部材４ｂの頂部が当たる部分には前記した摺り板１２（図１）が貼付される。この摺り板はカム状回転部材４ｂの頂部を滑らかに摺動させ、当該下面および当該頂部の磨耗を低減させる。
【００５５】
カム状回転部材４ｂと当該下面との接触で揺動板２は支承板３を支点としてシーソー動を発生する。このシーソー動は図６（ｂ）に示したような減衰振動となる。この減衰振動は、Ｋ２の時点でカム状回転部材４ｂによる突き上げで発生する減衰振動に加算され、揺動板２のその後の上下動に影響を与える。そして、Ｋ３の時点およびそれ以降ではカム状回転部材４ｂによる突き上げで更なる上下動に影響を受け図６（ｂ）に示した減衰振動は複雑な減衰振動となって、揺動板２に不規則な揺動をもたらすことになる。すなわち、Ｋ１の時点からＫ２の時点、Ｋ２の時点からＫ３の時点、・・・の減衰振動波形は異なるものとなる。
【００５６】
図７は、本発明に係る揺動展示装置の実施例１の不規則揺動発生機構のためのカム状回転部材と他の構成例を説明する模式図である。図７（ａ）は上記した実施例に用いたカム状回転部材で、ラジコンカーやドローンなどのサーボコントロール機構ではサーボホーンとして知られているものと同様の、例えばＡＢＳ樹脂製の部品である。この部品の一方と他方のアームの頂部の回転縁内での内角θ１とθ２は、一般的にはθ１＝θ２又はθ１≒θ２であるが、θ１≠θ２であってよい。また、一方と他方のアームの長さ（ａ１とａ２）はａ１＝ａ２又はａ１≒ａ２であるが、ａ１≠ａ２であってよい。
【００５７】
図７（ｂ）はカム状回転部材の他の例の一つを説明する図で、中心から放射状に３本のアームを有するものとしたものである。図７（ｂ）において、アームの角度θ１＝θ２＝θ３又はθ１≒θ２≒θ３、θ１≠θ２≠θ３であってよい。また、３本のアームの長さ（ａ、ｂ、ｃ）についてはａ＝ｂ＝ｃ又はａ≒ｂ≒ｃであるが、ａ≠ｂ≠ｃであってもよい。アームの数は４以上であってもよい。
【００５８】
図８は、本発明に係る揺動展示装置の実施例１の全体形状例の説明図である。図８（ａ）は正面図であり、（ｂ）は左側断面を、（ｃ）は右側断面を示す。筐体２０は全体として木板、プラスチック板、あるいは金属板の装飾板又はそれらの組み合わせ構造物であり、天井には照明手段２２が設置され、また底部にはキャスター２３が取り付けて容易に移動できるようにしてある。前記説明した各図面における参照符号と同一の符号は同一機能部分に対応する。
【００５９】
天井に取り付けた照明手段２２は蛍光灯、あるいはＬＥＤ素子列などの上部照明ランプ２２ａが配置され、その上方に光散乱板２２ｂが設けられている。照明ランプ２２ａから出射した光は光散乱板２２ｂで乱反射して下方にある展示物（本実施例では水晶玉９）を間接照明する。載置台８の内部に設けた照明ランプ１０での下部からの照明と共に、上部照明ランプ２２ａに演色効果調整手段を設けることで、展示場の雰囲気に合わせた最適な雰囲気の照明で展示物を演出することもできる。なお、全面にはガラスあるいはアクリル板の透明保護板２４が設けられているが、これは上記の上部照明手段２２と共に本実施例の必須構成ではない。
【００６０】
図９は、本発明に係る揺動展示装置の実施例１における突き上げ機構の要部構成例を説明する模式図である。カム状回転部材４ｂは前記図７（ａ）に示した形状のものと同様のアームが２本のものを用いた例である。このカム状回転部材４ｂはモーター４ａの回転軸に固定されて回転する。モーター４ａは所謂減速モーターであり、その回転軸は、例えば毎秒１回転程度とした減速モーター（ギヤモーター）であるが、ステップモーター（間歇回転モーター）であっても良いものである。このモーターはボルト・ナットでベース盤１に取り付けられているが、他の既知の固定手段を用いてもよい。
【００６１】
この例では、揺動板２の下面で、カム状回転部材４ｂの頂部が突き上げる領域に摺動板１２が貼付されている。摺動板１２はカム状回転部材４ｂと同様のＡＢＳ樹脂の薄板あるいはシートが好適であるが、他の適当な材料の部材を用いることも可能である。この摺動板１２は揺動板２の下面をカム状回転部材４ｂとの摺動で磨耗や破損が発生するのを防止して、長時間の揺動展示を可能とするものである。
【００６２】
図１０は、本発明に係る揺動展示装置の実施例１の支持板の固定構造例を説明する模式断面図である。図１０（ａ）に示した固定構造は、ベース盤１、揺動板２と共にアルミニウム合金板で形成された支承板３を上記ベース盤１と揺動板２にロウ付けで固定した。このロウ付けはアルゴンガスの雰囲気中でアーク溶接する所謂イナートガスアーク溶接である。図１０（ｂ）はＬ字状としたアルミニウム板の支承板３とベース盤１とはボルト・ナット２ｂで固定し、揺動板２と支承板３とはイナートガスアーク溶接で固定してある。なお、ボルト・ナットでの固定とイナートガスアーク溶接での固定はベース盤１と揺動板２とで上記とは逆にしてもよい。ボルト・ナット２ｂでの固定は支承板３の着脱を可能としている。
【００６３】
図１１は、本発明に係る揺動展示装置の実施例１の支持板の構成例の説明図である。図１１（ａ）では、揺動板２をベース盤１に対して略平行に支持する支承板３はアルミニウム板で断面がコ字状に折り曲げ加工されており、折り曲げた各部分にネジ穴３ａ、３ｂが形成されている。これらのネジ穴３ａ、３ｂにボルト・ナットを用いてベース盤１と揺動板２を着脱可能に連結する。
【００６４】
図１１（ｂ）の支承板３はアルミニウム合金板を加工して断面がＨ字状に成形してある。水平に折り曲げた上下の部分にネジ穴３ａ、３ｂを設けて、揺動板２とベース盤１にボルト・ナットを用いて固定する。図１１（ｃ）の支承板３は断面がＺ字形に折り曲げ加工して成形されたもので、上記と同様に、上下の折り曲げ部分にネジ穴３ａ、３ｂを設けて、揺動板２とベース盤１にボルト・ナットを用いて固定する。
【００６５】
以上説明した実施例１によれば、動態展示のための揺動装置に不規則揺動成分を生成する機構を組み込むことで、展示物の一部（特定部分）が有する物質相が当該展示物全体の物質相とは異なることに起因する特異な動きを惹起させて当該一部分を視覚的に顕在化させ、当該特別に注目してもらいたい特定部分に惹起する特異な動きで展示部分を目立たせて展示効果を格段に向上することができる。
【実施例２】
【００６６】
図１２は、本発明に係る揺動展示装置の実施例２の構成を説明する俯瞰図である。また、図１３は、本発明に係る揺動展示装置の実施例２の構成の説明図で、（ａ）は揺動板側から見たベース盤の平面図、（ｂ）は（ａ）の矢印Ａ方向から見た側面図である。本実施例では、前記実施例１における支承板３を揺動板２の前記一方の短辺に対して所定の角度で傾斜設置したものである。そして、突き上げ機構４のカム状回転部材４ｂを揺動板２の前記一端縁の下面で支承板３と揺動板２の当該一端縁との距離が大である部分を突き上げる位置Ｐ１に配置してある。
【００６７】
支承板３と揺動板２の固定部分で当該支承板３の幅方向中央を通る直線に直角で突き上げの位置Ｐ１を通る直線が複数のスプリング（ここでは短辺に平行に配置された２個）の作用点を通る直線と交わる位置Ｐ２で揺動板２の他端に押し下げの力が作用する。位置Ｐ１、支承板３の支点Ｐ０、位置Ｐ２は揺動板２の幾何学的形状に対して全体として不平衡になっている。
【００６８】
なお、スプリング（５）を複数用い、その配置を前記他方の短辺に対して所定の角度で、例えば支承板３と平行に設置し、あるいはランダムに配置して各スプリングの作用を互いに無関係としてもよい。
【００６９】
本実施例におけるその他の構成と作用は前記した実施例１と同様あるいはほぼ同様なので、繰り返しの説明は省略する。実施例２の構成によれば、さらに複雑な揺動を揺動展示装置に加えることができる。
【００７０】
以上説明した実施例２によっても、動態展示のための揺動装置に不規則な揺動成分を生成する機構を組み込むことで、展示物の一部（特定部分）が有する物質相が当該展示物全体の物質相とは異なることに起因する特異な動きを惹起させて当該一部分を視覚的に顕在化させ、当該特別に注目してもらいたい特定部分に惹起する特異な動きで展示部分を目立たせ、展示効果を格段に向上することができる。
【００７１】
以上の各実施例では、ベース盤１、揺動板２、支承板３を全てアルミニウム合金板としたが、これに限らず、ステンレス板や硬質プラスチック板、あるいは木材を用い、それぞれに適した固定手段で組み立てることもできる。本発明は、このような材料を用いて前記実施例と同様に構成したものも含む。
【産業上の利用可能性】
【００７２】
本発明は、展示物として有史前の水塊、水塊を密封した空間を有する水晶玉の当該水塊、水塊を密封した空間を顕在化して展示するものとして説明したが、本発明はこれに限るものではなく、実施例で説明した展示物と類似した物体、現象をより明確に展示する必要があるものにも同様に適用できる。
【符号の説明】
【００７３】
１・・・ベース盤
２・・・揺動板
３・・・支承板
３ａ，３ｂ・・・ネジ穴
４・・・突き上げ機構
４ａ・・・モーター
４ｂ・・・カム状回転部材
５・・・スプリング
６・・・跳ね上がり抑制部材
８・・・載置台
９・・・展示物（水晶玉）
９ａ・・・空間
９ｂ・・・水塊
１０・・・照明ランプ
１１・・・コード
１２・・・摺り板
１３・・・開口
１４・・・圧縮量／弾圧力調整手段
２０・・・筐体
２１・・・脚柱
２２・・・照明手段
２２ａ・・・上部照明ランプ
２２ｂ・・・光散乱板
２３・・・キャスター
２４・・・透明板
【図１】
0006681690.tif 000002
【図２】
0006681690.tif 000003
【図３】
0006681690.tif 000004
【図４】
0006681690.tif 000005
【図５】
0006681690.tif 000006
【図６】
0006681690.tif 000007
【図７】
0006681690.tif 000008
【図８】
0006681690.tif 000009
【図９】
0006681690.tif 000010
【図１０】
0006681690.tif 000011
【図１１】
0006681690.tif 000012
【図１２】
0006681690.tif 000013
【図１３】
0006681690.tif 000014